(57)【要約】【課題】  ユーザーが似たような複数の問いかけ（メッセージ）に対して何度も回答操作する煩わしさを回避する。【解決手段】  ＣＰＵは、データ放送視聴中において、通信回線への接続を要求する操作を検知したとき、ＢＭＬ文書の解析処理を開始する（ステップＳ５）。この解析処理では、個人情報を問う文章が含まれているかどうかを判断する（ステップＳ６）。個人情報を問う文章が含まれていなければ、通信回線への接続承諾を問うメッセージを表示し（ステップＳ７）、通信回線への接続を承諾したと判断したときには（ステップＳ８でＹＥＳ）、回線接続処理を行う（ステップＳ１０）。ステップＳ６で個人情報を問う文章が含まれていると判断したときには、個人情報の送信を許諾しているかどうかを判断する（ステップＳ９）。個人情報の送信を許諾していると判断したときには、直ちに回線接続処理を行う（ステップＳ１０）。【選択図】        図２
2006287278.tif 000002
【特許請求の範囲】
【請求項１】
受信したデータ放送コンテンツをブラウザが解釈してデータ放送画面の表示を行うとともに前記データ放送画面上のオブジェクトに対するユーザーの操作が通信回線への接続を必要とする操作である場合には前記ブラウザが当該放送受信装置に対して通信回線への接続を要請するように構成されたディジタル放送受信装置において、通信回線への接続の要請があったときには通信接続確認メッセージの表示を行うとともに接続意志が確認された場合に通信回線への接続を行う通信確認接続手段と、前記データ放送コンテンツ中に情報送信の許諾を問う文字列が有るかどうかを判断する文字列判断手段と、前記許諾に対する回答用の文字列に基づいて表示されたデータ放送画面上のオブジェクトに対するユーザーの回答操作を判断する手段と、許諾する旨の回答操作がなされた場合には前記通信確認手段による確認をスキップして通信回線への接続を行うスキップ手段と、を備えたことを特徴とするディジタル放送受信装置。
【請求項２】
請求項１に記載のディジタル放送受信装置において、前記文字列判断手段は、少なくとも「送信しますか」又はこれと同等の文字列を検出できた場合に、前記データ放送コンテンツ中に情報送信の許諾を問う文字列が有ると判断することを特徴とするディジタル放送受信装置。
【請求項３】
請求項１に記載のディジタル放送受信装置において、前記文字列判断手段は、少なくとも「個人情報」又はこれと同等の文字列を検出できた場合に、前記データ放送コンテンツ中に情報送信の許諾を問う文字列が有ると判断することを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星（ＣＳ，ＢＳ）や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
かかるディジタル放送においては、番組の映像音声放送の他にデータ放送が行われる（特許文献１参照）。データ放送では、コンテンツの内容によっては通信回線への接続が発生する場合があり、この場合には通信料金が発生するため、放送受信装置はユーザーに対して通信回線への接続許可を問うメッセージを画面に表示する。ただし、このメッセージ表示機能は任意規格であり、放送受信装置が必ず備えているわけではない。
【特許文献１】特開２００４−６４１９９号公報
【発明の開示】
【発明が解決しようとする課題】
【０００４】
このため、特に個人情報（氏名、住所、生年月日等）の送信が必要とされるデータ放送コンテンツ中は、個人情報送信の許諾を問うメッセージ（文字列）と、ユーザがそれに回答するための文字列（例えば、「ＹＥＳ」「ＮＯ」）が必ず記述されている。しかしながら、放送受信装置が通信回線への接続許可を問うメッセージを表示する機能を搭載していた場合、ユーザーは上記個人情報送信の許諾を問うメッセージに対して回答した後に、更に前記通信回線への接続許可を問うメッセージに対しても回答しなければならない。
【０００５】
この発明は、上記の事情に鑑み、個人情報送信の許諾を問うメッセージに対して回答した後に、更に通信回線への接続許可を問うメッセージに対しても回答しなければならいといった煩わしさを回避することができるディジタル放送受信装置を提供することを目的とする。
【課題を解決するための手段】
【０００６】
この発明のディジタル放送受信装置は、上記の課題を解決するために、受信したデータ放送コンテンツをブラウザが解釈してデータ放送画面の表示を行うとともに前記データ放送画面上のオブジェクトに対するユーザーの操作が通信回線への接続を必要とする操作である場合には前記ブラウザが当該放送受信装置に対して通信回線への接続を要請するように構成されたディジタル放送受信装置において、通信回線への接続の要請があったときには通信接続確認メッセージの表示を行うとともに接続意志が確認された場合に通信回線への接続を行う通信確認接続手段と、前記データ放送コンテンツ中に情報送信の許諾を問う文字列が有るかどうかを判断する文字列判断手段と、前記許諾に対する回答用の文字列に基づいて表示されたデータ放送画面上のオブジェクトに対するユーザーの回答操作を判断する手段と、許諾する旨の回答操作がなされた場合には前記通信確認手段による確認をスキップして通信回線への接続を行うスキップ手段と、を備えたことを特徴とする。
【０００７】
上記の構成であれば、放送受信装置が通信接続確認メッセージの表示及び確認の機能を有しているとしても、データ放送コンテンツ中の情報送信の許諾を問う文章に対してユーザーが許諾する旨の回答操作を行ったのなら、前記通信接続確認メッセージの表示及び確認をスキップして通信回線への接続を行う。これにより、個人情報送信の許諾を問うメッセージに対して回答した後に、更に通信回線への接続許可を問うメッセージに対しても回答しなければならいといった煩わしさを回避することができる。
【０００８】
上記構成において、前記文字列判断手段は、少なくとも「送信しますか」又はこれと同等の文字列を検出できた場合に、前記データ放送コンテンツ中に情報送信の許諾を問う文字列が有ると判断することとしてもよい。また、少なくとも「個人情報」又はこれと同等の文字列を検出できた場合に、前記データ放送コンテンツ中に情報送信の許諾を問う文字列が有ると判断することとしてもよい。
【発明の効果】
【０００９】
この発明であれば、個人情報送信の許諾を問うメッセージに対して回答した後に、更に通信回線への接続許可を問うメッセージに対しても回答しなければならいといった煩わしさを回避することができるという効果を奏する。
【発明を実施するための最良の形態】
【００１０】
以下、この発明の実施形態を図１及び図２に基づいて説明する。
【００１１】
図１において、アンテナ１は、地上放送局から送られてくる地上ディジタル放送波を受信する。
【００１２】
チューナ２は、映像・音声データを含む高周波ディジタル変調信号のうちから特定周波数の信号を取り出す。また、チューナ２は、復調回路、逆インタリーブ回路、誤り訂正回路などを備えることにより、選択したディジタル変調信号を復調してトランスポート・ストリームを出力する。
【００１３】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報等をＣＰＵ１３に供給し、データ放送データをコンテンツ管理部２１に供給する。
【００１４】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００１５】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００１６】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってディスプレイ１６ａ及びスピーカ１６ｂを備えるモニタ１６が接続される。
【００１７】
スケーラ／ＯＳＤ回路１２はＢＭＬブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示、メッセージ表示などが行えることになる。
【００１８】
ＢＭＬブラウザ２０はデータ放送の表示において起動される。データ放送の表示は、後述するリモコン送信機１０に設けられたデータ放送表示キー（ｄキー）が押下されたことを検出したとき行われる。データ放送においては、最初にエントリーコンポーネントに入れられているスタートアップモジュール（moduleＩＤ＝０）の取得が試みられ、得られたスタートアップ文書に基づいて画面作成が行われる。そして、ユーザがスタートアップ画面上の各種ボタン（「天気予報」「ニュース」等）を操作することで下位階層の表示が実行される。
【００１９】
ＢＭＬブラウザ２０は表示すべき文書（データ）をコンテンツ管理部２１に要求する。コンテンツ管理部２１は要求されたデータが図示しないコンテンツ記憶部に存在すればそのデータを読み出してＢＭＬブラウザ２０に渡す。要求されたデータが無ければトランスポートストリームから取り出す。なお、コンテンツ管理部２１はＤＳＭ−ＣＣ（digital storage media command and control ）方式で送られてくるデータ（ＤＩＩメッセージ，ＤＤＢメッセージ等）を取り出す。コンテンツ管理部２１はデータを取得してＢＭＬブラウザ２０に渡す。
【００２０】
リモコン送信機（リモートコントローラ）１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２１】
メモリ（ＲＡＭ、ＥＥＰＲＯＭ、フラッシュメモリ、ＲＯＭ等）１４には、各種ソフトウェアやＥＰＧ画面表示用の番組情報などが格納される。
【００２２】
モデム２２は、課金センターへ視聴履歴情報を伝送する際のダイヤルアップ接続や双方向サービス等の通信においてＣＰＵ１３の制御の下で動作する。
【００２３】
ＣＰＵ１３は、このディジタル放送受信装置３０における全体制御を行うものであるが、特にこの発明にかかる制御として、以下に示すごとく、データ放送視聴時の通信関連の処理を実行する。この処理の概要は、以下の（１）〜（４）に示す通りである。
【００２４】
（１）ＣＰＵ１３は、ＢＭＬブラウザ２０から通信回線への接続の要請があったときには通信接続確認メッセージをＯＳＤ表示し、接続意志が確認された場合に通信回線への接続を行う（通信確認接続処理）。通信接続確認メッセージは、例えば、「通信接続します。よろしいですか？  ＹＥＳ  ＮＯ」のごとくである。また、ＣＰＵ１３は、前記「ＹＥＳ」と表記された箇所にカーソルが載せられた状態で決定キーの押下を検出すると、接続意志有りと判断する。
【００２５】
（２）データ放送コンテンツ（ＢＭＬ文書）中に情報送信の許諾を問う文字列が有るかどうかを判断する（文字列判断処理）。例えば、コンテンツ作成側で、「個人情報を送信します。よろしいですか？  ＹＥＳ  ＮＯ」といったメッセージ文をＢＭＬ文書に記述している。従って、前記文字列判断処理においては、「個人情報を送信します。よろしいですか」といった文字列をＢＭＬ文書から検出できた場合に、情報送信の許諾を問う文字列が有ると判断すればよい。勿論、少なくとも「送信しますか」又はこれと同等の文字列を検出できた場合に、データ放送コンテンツ中に情報送信の許諾を問う文字列が有ると判断するようにしてもよい。また、少なくとも「個人情報」若しくはこれと同等の文字列を検出できた場合に、データ放送コンテンツ中に情報送信の許諾を問う文字列が有ると判断するようにしてもよい。
【００２６】
（３）前記許諾に対する回答用の文字列に基づいて表示されたデータ放送映像画面上のオブジェクトに対するユーザー操作を判断する。例えば、ＣＰＵ１３（ブラウザ２０）は、前述の「個人情報を送信します。よろしいですか？  ＹＥＳ  ＮＯ」といったメッセージ文上で、前記「ＹＥＳ」と表記された箇所（文字列）にカーソルが載せられた状態で決定キーの押下を検出したときには、許諾する旨の回答操作がなされたと判断する。
【００２７】
（４）ＣＰＵ１３は、許諾する旨の回答操作がなされた場合には前記（１）の通信確認処理をスキップして通信回線への接続を行う（スキップ処理）。
【００２８】
以下、上述した処理内容を図２のフローチャートに基づいて更に説明していく。
【００２９】
ＣＰＵ１３は、データ放送の視聴中であると判断した場合（ステップＳ１でＹＥＳ）、キー操作が行われたかどうかを監視する（ステップＳ２）。そして、前記キー操作がデータ放送の視聴終了を意味する操作であるかどうかを判断し（ステップＳ３）、終了を意味する操作であると判断したときには、処理を終了する。一方、終了を意味する操作でないと判断したときには、前記キー操作が通信回線への接続を要求する操作であるかどうかを判断する（ステップＳ４）。通信回線への接続を要求する操作でなければステップＳ２に戻る。
【００３０】
一方、通信回線への接続を要求する操作であれば、ＢＭＬ文書（データ放送コンテンツ）の解析処理を開始する（ステップＳ５）。この解析処理では、個人情報を問う文章が含まれているかどうかを判断する（ステップＳ６）。すなわち、前述した（２）の処理を行う。個人情報を問う文章が含まれていなければ、通信回線への接続承諾を問うメッセージを表示し（ステップＳ７）、通信回線への接続を承諾したと判断したときには（ステップＳ８でＹＥＳ）、回線接続処理を行う（ステップＳ１０）。すなわち、前述した（１）の処理を行う。通信回線への接続を承諾しなかったと判断したときには（ステップＳ８でＮＯ）、ステップＳ２に戻る。
【００３１】
ステップＳ６で個人情報を問う文章が含まれていると判断したときには、個人情報の送信を許諾しているかどうかを判断する（ステップＳ９）。すなわち、前述した（３）の処理を行う。そして、個人情報の送信を許諾していると判断したときには、直ちに回線接続処理を行う（ステップＳ１０）。すなわち、前述した（４）のスキップ処理を行う。個人情報の送信を許諾していないと判断したときには、ステップＳ２に戻る。
【００３２】
なお、上記の例では、地上ディジタル放送におけるデータ放送受信を例示したが、衛星ディジタル放送におけるデータ放送受信においても、同様の処理を行うことができる。
【図面の簡単な説明】
【００３３】
【図１】この発明の実施形態のディジタル放送受信装置を示したブロック図である。
【図２】処理内容を示したフローチャートである。
【符号の説明】
【００３４】
１    アンテナ
２    チューナ
３    デマルチプレクサ（ＤＥＭＵＸ）
４    ＡＶデコーダ
１２  スケーラ／ＯＳＤ回路
１３  ＣＰＵ
１４  メモリ
２０  ＢＭＬブラウザ
【図１】
2006287278.tif 000003
【図２】
2006287278.tif 000004